(57)【要約】【課題】デューティ限定時に、駆動用ＩＣの出力端子から表示パネルの電極に至る配線の引き回しを容易にすることができる駆動用ＩＣが実装される表示パネルを提供する。【解決手段】コモン駆動電圧出力端子数が１６０であって、コモン電極数が１２０である場合に、コモン駆動電圧出力端子部２１１のコモン駆動電圧出力端子１〜４０がコモン電極の１〜４０行目に接続され、コモン駆動電圧出力端子部２１２のコモン駆動電圧出力端子４１〜６０がコモン電極の４１〜６０行目に接続され、コモン駆動電圧出力端子部２１３のコモン駆動電圧出力端子８１〜１２０がコモン電極の６１〜１００行目に接続され、コモン駆動電圧出力端子部２１４のコモン駆動電圧出力端子１２１〜１４０がコモン電極の１０１〜１２０行目に接続される。【選択図】図１
2008058730.tif 000002
【特許請求の範囲】
【請求項１】
複数の走査電極と複数の信号電極とが交差するように配置されるとともに、矩形状の駆動用ＩＣが実装された表示パネルであって、前記駆動用ＩＣは各走査電極に対して走査信号を出力可能な複数の出力端子を前記走査電極の総数よりも多く有し、前記出力端子は前記駆動用ＩＣの一方の長辺の一部及び両側の短辺に形成されている表示パネルにおいて、
前記複数の出力端子のうちの前記両側の短辺における出力端子であって前記駆動用ＩＣの他方の長辺側に近い側の出力端子は、前記走査電極に電気的に接続されている
ことを特徴とする表示パネル。
【請求項２】
両側の短辺に形成された全ての出力端子と走査電極とが電気的に接続されている
請求項１記載の表示パネル。
【請求項３】
複数の走査電極は、２等分され、両側の短辺および一方の長辺の一部に形成された出力端子に接続されている
請求項１または請求項２記載の表示パネル。
【発明の詳細な説明】
【技術分野】
【０００１】
本発明は、液晶表示装置などの単純マトリクス方式による表示装置における表示パネルに関し、特に、駆動用ＩＣが実装される表示パネルに関する。
【背景技術】
【０００２】
単純マトリクス型液晶表示装置として、ＴＮ（twisted nematic ）方式やＳＴＮ（super twisted nematic ）方式の単純マトリクス型液晶表示パネルを備えた液晶表示装置が知られている。単純マトリクス型液晶表示パネルでは、互いに交差するように対向して配置された複数本の走査電極（コモン電極）及び複数本の信号電極（セグメント電極）との間に、液晶層が挟持される。液晶表示パネルを駆動するために、一般に駆動回路（ドライバＩＣ）が用いられる。なお、走査電極は、行電極と呼ばれ、信号電極は、列電極と呼ばれる。
【０００３】
コモン電極には、対応するコモン駆動電圧出力端子からコモン駆動電圧として選択電圧または非選択電圧が印加される。あるコモン電極に選択電圧が印加されているとき、すなわちある行が選択されて行電圧が印加されているときに、各セグメント電極には、セグメント駆動電圧出力端子から、選択されている行の表示データに応じた列電圧が印加される。行電圧と列電圧との差電圧が、液晶層に印加される駆動電圧になる。
【０００４】
コモン電極を駆動するためのコモン駆動電圧出力端子およびセグメント電極を駆動するためのセグメント駆動電圧出力端子は、ワンチップ型のドライバＩＣに形成されることがある。以下、ワンチップ型のドライバＩＣについて説明する。
【０００５】
ワンチップ型のドライバＩＣには、液晶表示パネルに設けられたコモン電極にコモン駆動電圧を出力する複数のコモン駆動電圧出力端子と、液晶表示パネルに設けられたセグメント電極にセグメント駆動電圧を出力する複数のセグメント駆動電圧出力端子とが形成される。
【０００６】
図３は、液晶表示装置における液晶表示パネルへのドライバＩＣの実装例を示す説明図である。図３に示すように、液晶表示装置において、一般的なワンチップ型のドライバＩＣ２００は、２枚の基板間において水平方向に配置されたコモン電極３１０と垂直方向に配置されたセグメント電極３２０とが直交配置された液晶表示パネル３００が形成された液晶表示装置における液晶表示パネル３００の下部に実装される。下部とは、図３に示された状態での液晶表示装置の下部である。なお、本明細書では、表示部に相当する部分を液晶表示パネル３００といい、表示部が形成され、かつ、ドライバＩＣ２００が実装されたものを液晶表示装置という。
【０００７】
以下、複数のコモン駆動電圧出力端子が形成されている部分をコモン駆動電圧出力端子部と表記し、複数のセグメント駆動電圧出力端子が形成されている部分をセグメント駆動電圧出力端子部と表記する。図３に示すように、一般に、ドライバＩＣ２００において、セグメント駆動電圧出力端子部２２０は、矩形のドライバＩＣ２００の長辺のうち、液晶表示パネル３００のセグメント電極３２０の入力側（図３において、矩形の液晶表示パネル３００の下辺付近）の辺（図３において、矩形の液晶表示パネル３００の下辺）の側の長辺の中央部付近に形成される。また、コモン駆動電圧出力端子部２１０は、ドライバＩＣ２００の二つの短辺のそれぞれに二分されて形成される（例えば、特許文献１参照。）。
【０００８】
【特許文献１】特開２００６−４７３７８号公報（段落０００８−００１０、図４）
【発明の開示】
【発明が解決しようとする課題】
【０００９】
しかし、特許文献１に記載された方式では、ドライバＩＣ２００の短辺にのみコモン駆動電圧出力端子部２１０が形成されているので、コモン駆動電圧出力端子部２１０における端子数を増やそうとすると、ドライバＩＣ２００のサイズが大きくなってしまう。
【００１０】
そこで、コモン駆動電圧出力端子部をドライバＩＣの短辺から長辺にかけて跨って配置する方式が考案されている。なお、特許文献１には、コモン駆動電圧出力端子部２１０とセグメント駆動電圧出力端子部２２０とを、ともに長辺に配置する構成も記載されているが、そのような構成では、長辺が長くなるので、やはり、ドライバＩＣ２００のサイズが大きくなる。以下、コモン駆動電圧出力端子の配置に応じてドライバＩＣの面積が変化することについて説明する。
【００１１】
図４は、ワンチップ型のドライバＩＣの例を示す説明図である。図４には、ワンチップ型のドライバＩＣにおけるコモン駆動電圧出力端子およびセグメント駆動電圧出力端子の配置例を示す。図４には、コモン駆動電圧出力端子部２１２とコモン駆動電圧出力端子部２１４との間に、セグメント駆動電圧出力端子部２２０が配置される場合を例示する。セグメント駆動電圧出力端子部２２０は、ドライバＩＣ２００の長辺の中央部に配置されている。
【００１２】
コモン駆動電圧出力端子部２１２およびコモン駆動電圧出力端子部２１４は、セグメント駆動電圧出力端子部２２０を挟んで、ドライバＩＣ２００の長辺の両端にそれぞれ配置されている。また、コモン駆動電圧出力端子部２１１およびコモン駆動電圧出力端子部２１３は、ドライバＩＣ２００の向かい合う短辺のそれぞれに配置されている。コモン駆動電圧出力端子部２１１は、コモン駆動電圧出力端子部２１２に隣り合う位置に配置され、コモン駆動電圧出力端子部２１３は、コモン駆動電圧出力端子部２１４に隣り合う位置に配置されている。ここで、コモン駆動電圧出力端子ｎ（ｎ＝１〜１６０）は、それぞれ液晶表示パネルのｎ行目のコモン電極に接続されている。
【００１３】
図４（ａ）には、コモン駆動電圧出力端子部２１１にコモン駆動電圧出力端子１〜４０が形成され、コモン駆動電圧出力端子部２１２にコモン駆動電圧出力端子４１〜８０が形成され、コモン駆動電圧出力端子部２１３にコモン駆動電圧出力端子８１〜１２０が形成され、コモン駆動電圧出力端子部２１４にコモン駆動電圧出力端子１２１〜１６０が形成されている場合を例示する。図４（ａ）には、ドライバＩＣ２００の形状は矩形であって、長辺の長さが１５．０ｍｍ、短辺の長さが２．０ｍｍで、面積が３０．０ミリ平方メートルである場合を例示する。
【００１４】
コモン駆動電圧出力端子部２１１では、セグメント駆動電圧出力端子部２２０から遠い側から順に、コモン駆動電圧出力端子１，２，…，４０が形成される。コモン駆動電圧出力端子部２１２では、セグメント駆動電圧出力端子部２２０から遠い側から順に、コモン駆動電圧出力端子４１，４２，…，８０が形成される。コモン駆動電圧出力端子部２１３では、セグメント駆動電圧出力端子部２２０から遠い側から順に、コモン駆動電圧出力端子８１，８２，…，１２０が形成される。コモン駆動電圧出力端子部２１４では、セグメント駆動電圧出力端子部２２０から遠い側から順に、コモン駆動電圧出力端子１２１，１２２，…，１６０が形成される。
【００１５】
図４（ｂ）には、コモン駆動電圧出力端子部２１１にコモン駆動電圧出力端子１〜３８が形成され、コモン駆動電圧出力端子部２１２にコモン駆動電圧出力端子３９〜８０が形成され、コモン駆動電圧出力端子部２１３にコモン駆動電圧出力端子８１〜１１８が形成され、コモン駆動電圧出力端子部２１４にコモン駆動電圧出力端子１１９〜１６０が形成されている場合を例示する。
【００１６】
ここで、コモン駆動電圧出力端子１個あたりの幅が０．１ｍｍであるとすると、図４（ａ）に例示する場合と比較して、コモン駆動電圧出力端子部２１２およびコモン駆動電圧出力端子部２１４では、コモン駆動電圧出力端子の数が２個ずつ多くなり、コモン駆動電圧出力端子部２１１およびコモン駆動電圧出力端子部２１３では、コモン駆動電圧出力端子の数が２個ずつ少なくなる。したがって、図４（ｂ）に示す例では、ドライバＩＣ２００の長辺の長さは１５．４ｍｍ、短辺の長さが１．８ｍｍで、面積が２７．７２ミリ平方メートルとなり、図４（ａ）に例示する場合と比較して面積が２．２８ミリ平方メートル減少する。
【００１７】
また、図４（ｃ）には、コモン駆動電圧出力端子部２１１にコモン駆動電圧出力端子１〜４２が形成され、コモン駆動電圧出力端子部２１２にコモン駆動電圧出力端子４３〜８０が形成され、コモン駆動電圧出力端子部２１３にコモン駆動電圧出力端子８１〜１２２が形成され、コモン駆動電圧出力端子部２１４にコモン駆動電圧出力端子１２３〜１６０が形成されている場合を例示する。
【００１８】
ここで、コモン駆動電圧出力端子１個あたりの幅が０．１ｍｍであるとすると、図４（ａ）に例示する場合と比較して、コモン駆動電圧出力端子部２１２およびコモン駆動電圧出力端子部２１４では、コモン駆動電圧出力端子の数が２個ずつ少なくなり、コモン駆動電圧出力端子部２１１およびコモン駆動電圧出力端子部２１３では、コモン駆動電圧出力端子の数が２個ずつ多くなる。したがって、図４（ｃ）に示す例では、ドライバＩＣ２００の長辺の長さは１４．６ｍｍ、短辺の長さが２．２ｍｍで、面積が３２．１２ミリ平方メートルとなり、図４（ａ）に例示する場合と比較して面積が２．１２ミリ平方メートル増加する。
【００１９】
図４に示す例では、コモン駆動電圧出力端子の数が液晶表示パネルのコモン電極の数と同じであって、コモン駆動電圧出力端子ｎ（ｎ＝１〜１６０）がそれぞれ液晶表示パネルのｎ行目のコモン電極に接続されている場合を例示した。
【００２０】
一般に、各コモン電極は線順次に選択され、セグメント電極群には、各コモン電極の選択期間に同期して表示画像に応じた信号が印加される。第１番目のコモン電極、すなわち第１行目のコモン電極が選択走査されてから次に第１行目のコモン電極が選択されるまでの時間（１フレーム期間）に対する１本のコモン電極が選択される時間の比率をデューティ比と呼ぶ。以下、デューティ比の逆数をデューティ数と呼ぶことにする。通常、コモン電極数とデューティ数とは一致する。
【００２１】
しかし、液晶表示パネル等の制約によって、ドライバＩＣに形成されたコモン駆動電圧出力端子の数よりもコモン電極数のほうが少ない場合、コモン駆動電圧出力端子のうちの一部は、コモン電極に接続されない。この場合、液晶表示パネルは、ドライバＩＣの最大デューティ数に対して低いデューティ数で駆動される（以下、デューティ限定という。）。
【００２２】
図５は、一般的な液晶表示装置におけるコモン駆動電圧出力端子とコモン電極との接続例を示す説明図である。セグメント駆動電圧出力端子部２２０の両側のコモン駆動電圧出力端子部から、それぞれコモン電極数が二分された数のコモン駆動電圧出力端子がコモン電極に接続される。デューティ限定時には、一般に、セグメント駆動電圧出力端子部２２０の一方の側のコモン駆動電圧出力端子部においては、セグメント駆動電圧出力端子部２２０から遠い位置に配置されたコモン駆動電圧出力端子から順に選択されてコモン電極に接続され、セグメント駆動電圧出力端子部２２０の他方の側のコモン駆動電圧出力端子部においては、セグメント駆動電圧出力端子部２２０から近い位置に配置されたコモン駆動電圧出力端子から順に選択されてコモン電極に接続される。
【００２３】
例えば、コモン駆動電圧出力端子数が１６０であって、コモン電極数が１２０である場合には、コモン駆動電圧出力端子部２１１のコモン駆動電圧出力端子１〜４０がコモン電極の１〜４０行目に接続され、コモン駆動電圧出力端子部２１２のコモン駆動電圧出力端子４１〜６０がコモン電極の４１〜６０行目に接続され、コモン駆動電圧出力端子部２１３のコモン駆動電圧出力端子１０１〜１２０がコモン電極の６１〜８０行目に接続され、コモン駆動電圧出力端子部２１４のコモン駆動電圧出力端子１２１〜１６０がコモン電極の８１〜１２０行目に接続される。
【００２４】
この場合、コモン駆動電圧出力端子部２１４に形成されたコモン駆動電圧出力端子１２１〜１６０は、すべてコモン電極に接続されるため、液晶表示パネル３００とドライバＩＣ２００とが対向する間隔が狭い部分の配線の引き回しが困難になる。
【００２５】
そこで、本発明は、デューティ限定時に、駆動用ＩＣの出力端子から表示パネルの電極に至る配線の引き回しを容易にすることができる駆動用ＩＣが実装される表示パネルを提供することを目的とする。
【課題を解決するための手段】
【００２６】
本発明による駆動用ＩＣが実装される表示パネルは、複数の走査電極と複数の信号電極とが交差するように配置されるとともに、矩形状の駆動用ＩＣが実装された表示パネルであって、駆動用ＩＣは各走査電極に対して走査信号を出力可能な複数の出力端子を走査電極の総数よりも多く有し、出力端子は駆動用ＩＣの一方の長辺の一部及び両側の短辺に形成されている表示パネルにおいて、複数の出力端子のうちの両側の短辺における出力端子であって駆動用ＩＣの他方の長辺側に近い側の出力端子は、走査電極に電気的に接続されていることを特徴とする。
【００２７】
両側の短辺に形成された全ての出力端子と走査電極とが電気的に接続されていることが好ましい。そのような構成によれば、駆動回路の面積を大きくすることなく、配線の引き回しを容易にすることができる効果がより大きくなる。
【００２８】
また、複数の走査電極は、２等分され、両側の短辺および一方の長辺の一部に形成された出力端子に接続されている。そのような構成によれば、駆動用ＩＣの両側で均一配置することができ、額縁領域の縮小化を行うことができる。なお、走査電極数が奇数の場合、一方が他方より１つだけ多くなるが、これも２等分の範疇とする。
【発明の効果】
【００２９】
本発明によれば、デューティ限定時に、走査電極と出力端子との間の配線を容易にすることができるという効果がある。また、クロストークを低減し、パネルサイズを小さくすることができるという効果がある。
【発明を実施するための最良の形態】
【００３０】
以下、本発明の実施の一形態を図面を参照して説明する。図１は、本発明による液晶表示装置におけるコモン駆動電圧出力端子とコモン電極との接続例を示す説明図である。図１に示す液晶表示装置における液晶表示パネル３００には、ドライバＩＣ２００が実装されている。
【００３１】
液晶表示パネル３００は、複数のコモン電極３１０と、複数のセグメント電極３２０とを含む。水平方向に配置されたコモン電極３１０と垂直方向に配置されたセグメント電極３２０とは直交配置され、コモン電極３１０とセグメント電極３２０との間に液晶層（図示せず。）が挟持される。なお、図１には、液晶表示パネル３００に形成される複数のコモン電極３１０およびセグメント電極３２０のうちの一部のみを図示する。
【００３２】
ドライバＩＣ２００は、液晶表示パネル３００に駆動電圧を供給する駆動回路であって、コモン駆動電圧出力端子部２１１と、コモン駆動電圧出力端子部２１２と、コモン駆動電圧出力端子部２１３と、コモン駆動電圧出力端子部２１４と、セグメント駆動電圧出力端子部２２０とを含む。
【００３３】
コモン電極３１０には、コモン駆動電圧出力端子部２１１、２１２，２１３，２１４からコモン駆動電圧として選択電圧または非選択電圧が印加される。あるコモン電極３１０に選択電圧が印加されているとき、すなわちある行が選択されて行電圧が印加されているときに、各セグメント電極３２０には、セグメント駆動電圧出力端子部２２０から、選択されている行の表示データに応じた列電圧が印加される。行電圧と列電圧との差電圧が、液晶層に印加される駆動電圧になる。
【００３４】
図１に示す例では、セグメント駆動電圧出力端子部２２０は、ドライバＩＣ２００の一方の長辺の中央部付近に配置されている。セグメント駆動電圧出力端子部２２０は、コモン駆動電圧出力端子部２１２とコモン駆動電圧出力端子部２１４との間に配置されている。
【００３５】
コモン駆動電圧出力端子部２１２およびコモン駆動電圧出力端子部２１４は、セグメント駆動電圧出力端子部２２０を挟んで、ドライバＩＣ２００の長辺の両端にそれぞれ配置されている。また、コモン駆動電圧出力端子部２１１およびコモン駆動電圧出力端子部２１３は、ドライバＩＣ２００の向かい合う短辺のそれぞれに配置されている。コモン駆動電圧出力端子部２１１は、コモン駆動電圧出力端子部２１２に隣り合う位置に配置され、コモン駆動電圧出力端子部２１３は、コモン駆動電圧出力端子部２１４に隣り合う位置に配置されている。
【００３６】
図１には、コモン駆動電圧出力端子数が１６０であって、コモン電極数が１２０である場合を例示する。図１に示すように、コモン駆動電圧出力端子部２１１にコモン駆動電圧出力端子１〜４０が形成され、コモン駆動電圧出力端子部２１２にコモン駆動電圧出力端子４１〜８０が形成され、コモン駆動電圧出力端子部２１３にコモン駆動電圧出力端子８１〜１２０が形成され、コモン駆動電圧出力端子部２１４にコモン駆動電圧出力端子１２１〜１６０が形成されている。
【００３７】
コモン駆動電圧出力端子部２１１では、セグメント駆動電圧出力端子部２２０から遠い側から順に、コモン駆動電圧出力端子１，２，…，４０が形成される。コモン駆動電圧出力端子部２１２では、セグメント駆動電圧出力端子部２２０から遠い側から順に、コモン駆動電圧出力端子４１，４２，…，８０が形成される。コモン駆動電圧出力端子部２１３では、セグメント駆動電圧出力端子部２２０から遠い側から順に、コモン駆動電圧出力端子８１，８２，…，１２０が形成される。コモン駆動電圧出力端子部２１４では、セグメント駆動電圧出力端子部２２０から遠い側から順に、コモン駆動電圧出力端子１２１，１２２，…，１６０が形成される。
【００３８】
セグメント駆動電圧出力端子部２２０の両側のコモン駆動電圧出力端子部から、それぞれコモン電極数が二分された数のコモン駆動電圧出力端子がコモン電極に接続される。セグメント駆動電圧出力端子部２２０のそれぞれの側のコモン駆動電圧出力端子部において、セグメント駆動電圧出力端子部２２０から遠い位置に配置されたコモン駆動電圧出力端子から順に選択されてコモン電極に接続される。
【００３９】
本実施の形態では、コモン駆動電圧出力端子部２１１のコモン駆動電圧出力端子１〜４０がコモン電極の１〜４０行目に接続され、コモン駆動電圧出力端子部２１２のコモン駆動電圧出力端子４１〜６０がコモン電極の４１〜６０行目に接続され、コモン駆動電圧出力端子部２１３のコモン駆動電圧出力端子８１〜１２０がコモン電極の６１〜１００行目に接続され、コモン駆動電圧出力端子部２１４のコモン駆動電圧出力端子１２１〜１４０がコモン電極の１０１〜１２０行目に接続される。すなわち、表示パネル（ドライバＩＣ２００が実装される液晶表示パネル３００）において、コモン駆動電圧出力端子１〜４０，４１〜６０，８１〜１２０，１２１〜１４０に相当する部分に、コモン電極に接続される引き回し配線が接続される。
【００４０】
図２は、液晶表示装置におけるコモン駆動電圧出力端子とコモン電極との対応関係を説明するための説明図である。
【００４１】
図２（ａ）には、図５に例示する一般的な液晶表示装置におけるコモン駆動電圧出力端子とコモン電極との対応関係を示す。図５に例示する一般的な液晶表示装置においては、コモン駆動電圧出力端子（ＣＯＭ）１〜６０がコモン電極（Ｒｏｗ）の１〜６０行目に接続され、コモン駆動電圧出力端子（ＣＯＭ）１０１〜１６０がコモン電極の６１〜１２０行目に接続される。すなわち、一般的な液晶表示装置においては、コモン駆動電圧出力端子（ＣＯＭ）６１〜１００は使用されない。
【００４２】
図２（ｂ）には、図１に例示する本発明による液晶表示装置におけるコモン駆動電圧出力端子とコモン電極との対応関係を示す。図１に例示する本発明による液晶表示装置においては、コモン駆動電圧出力端子（ＣＯＭ）１〜６０がコモン電極（Ｒｏｗ）の１〜６０行目に接続され、コモン駆動電圧出力端子（ＣＯＭ）８１〜１４０がコモン電極の６１〜１２０行目に接続される。すなわち、本発明による液晶表示装置においては、コモン駆動電圧出力端子（ＣＯＭ）６１〜８０，１４１〜１６０は使用されない。
【００４３】
よって、ドライバＩＣ２００に内蔵されているコモン電極ドライバは、短辺および長辺の端部側（短辺に近い側）に形成されたコモン駆動電圧出力端子１〜４０，４１〜６０，８１〜１２０，１２１〜１４０を順に選択して、それらの出力端子から走査信号（走査電圧）を出力させる。なお、駆動方法は、線順次であってもよいし、ＭＬＡ（Multi Line Addressing ）であってもよい。
【００４４】
すなわち、セグメント駆動電圧出力端子部２２０に近い位置に配置されたコモン駆動電圧出力端子６１〜８０およびコモン駆動電圧出力端子１４１〜１６０は、コモン電極に接続されないことから、液晶表示パネルとドライバＩＣとの間の間隔が狭い部分における配線数が少なくなる。そのため、配線の引き回しが容易になり、配線間隔等の設計上のマージンが増加する。また、液晶表示パネルとドライバＩＣとの間隔を狭めることが可能になるため、液晶表示装置のサイズを小さくすることができる。
【００４５】
以上に説明したように、本実施の形態によれば、セグメント駆動電圧出力端子部のそれぞれの側のコモン駆動電圧出力端子部において、セグメント駆動電圧出力端子部から遠い位置に配置されたコモン駆動電圧出力端子から順に選択されてコモン電極に接続されるので、すなわち、ドライバＩＣ２００の短辺に形成されているコモン駆動電圧出力端子がより多く（本実施の形態では全て）使用され、かつ、長辺の端部側に設けられているコモン駆動電圧出力端子が使用されるので、デューティ限定時に液晶表示パネルとドライバＩＣとの配線の引き回しが容易になる。そのため、配線の抵抗値の調整が容易になり、クロストークを低減し、抵抗合わせのために拡大されていた配線の幅を縮小することができる。また、配線領域を小さくすることができるため、パネルサイズを小さくすることができる。
【産業上の利用可能性】
【００４６】
本発明は、液晶表示装置などの単純マトリクス方式による表示装置における表示パネルに適用でき、特に、駆動用ＩＣの最大デューティ数に対して低いデューティ数で駆動される駆動用ＩＣが実装される表示パネルに効果的に適用できる。
【図面の簡単な説明】
【００４７】
【図１】本発明による液晶表示装置におけるコモン駆動電圧出力端子とコモン電極との接続例を示す説明図。
【図２】液晶表示装置におけるコモン駆動電圧出力端子とコモン電極との対応関係を説明するための説明図。
【図３】液晶表示装置における液晶表示パネルへのドライバＩＣの実装例を示す説明図。
【図４】ワンチップ型のドライバＩＣの例を示す説明図。
【図５】一般的な液晶表示装置におけるコモン駆動電圧出力端子とコモン電極との接続例を示す説明図。
【符号の説明】
【００４８】
１〜１６０      コモン駆動電圧出力端子
２００          ドライバＩＣ
２１１〜２１４  コモン駆動電圧出力端子部
２２０          セグメント駆動電圧出力端子部
３００          液晶表示パネル
３１０          コモン電極
３２０          セグメント電極
【図１】
2008058730.tif 000003
【図２】
2008058730.tif 000004
【図３】
2008058730.tif 000005
【図４】
2008058730.tif 000006
【図５】
2008058730.tif 000007